(57)【要約】【課題】容易に送信するデータを選出する。【解決手段】送信画像選出モードに切り換え、画像選出用ボタン１３を押しながら、送信側のデジタルカメラ２を動かす。加速度センサ２９は、カメラ本体３の動きを検出する。ＣＰＵ２０は、選出方法検索テーブル２８の選出用動きデータの中から、加速度センサ２９から入力された検出動きデータと一致する選出用動きデータを検索する。ＣＰＵ２０は、一致する選出用動きデータに関連付けられた選出方法に基づいて、送信する画像データを選出する。送信モードのデジタルカメラ２Ａは、受信モードのデジタルカメラ２Ｂから送信されている微弱電波ＦＲを受信すると、送信画像選出モードで選出された画像データを乗せた画像データ付微弱電波ＤＦＲを、送信用アンテナ６から送信する。受信モードのデジタルカメラ２Ｂは、受信用アンテナ７で画像データ付微弱電波ＤＦＲを受信し、画像データをＲＡＭ２６に記憶する。【選択図】図７
2009253512.tif 000002
【特許請求の範囲】
【請求項１】
データを非接触で送信する電子装置において、
装置本体の動きを検出する加速度センサと、
前記加速度センサで検出された検出動きに基づいて、送信するデータを選出する選出手段と、
前記選出手段で選出されたデータを送信させる制御手段と、を備えることを特徴とする電子装置。
【請求項２】
前記選出手段は、
複数のデータの中から送信するデータを選出する複数の選出方法と、複数の選出用動きとを関連付けて記憶した記憶手段と、
前記複数の選出用動きの中から、前記検出動きと一致する選出用動きを検索する検索手段と、を備え、
前記検索手段で検索された選出用動きに関連付けられた選出方法により、送信するデータを選出することを特徴とする請求項１記載の電子装置。
【請求項３】
前記加速度センサで検出された検出動きを、前記選出用動きとして前記記憶手段に記憶させる記憶モードが設けられ、
前記記憶モード時に、前記検出動きに関連付けて前記記憶手段に記憶させる選出方法を入力する入力手段を備えることを特徴とする請求項２記載の電子装置。
【請求項４】
データを非接触で受信する受信部と、
前記装置本体の姿勢を検出する姿勢検出手段と、
前記姿勢検出手段で前記装置本体が所定の姿勢であることが検出されたことに応答して、データを送信する送信モードに切り換えるとともに、前記姿勢検出手段で前記装置本体が前記所定の姿勢とは上下方向に逆向きの姿勢であることが検出されたことに応答して、データを受信する受信モードに切り換えるモード切換手段と、を備えることを特徴とする請求項１ないし３いずれか１つ記載の電子装置。
【請求項５】
前記送信モードであるときに、前記受信モードである他の電子装置との距離が所定距離内であるか否かを判定する判定手段を備え、
前記送信モードであるときに、前記制御手段は、前記判定手段で所定距離内であると判定されたことに応答して、データを送信させることを特徴とする請求項４記載の電子装置。
【請求項６】
電波を送信する電波送信部と、電波を受信する電波受信部と、を備え、
前記受信モードであるときに、前記制御手段は、前記電波送信部から到達距離が前記所定距離である所定の電波を送信させ、
前記判定手段は、前記電波受信部で前記所定の電波を受信したときに、前記所定距離内であると判定することを特徴とする請求項５記載の電子装置。
【請求項７】
電子装置からデータを非接触で送信するデータ送信方法において、
前記電子装置の動きを検出し、
検出された検出動きに基づいて、送信するデータを選出し、
選出されたデータを送信することを特徴とするデータ送信方法。
【発明の詳細な説明】
【技術分野】
【０００１】
本発明は、データを送信する電子装置及びデータ送信方法に関するものである。
【背景技術】
【０００２】
電子装置、例えばデジタルカメラには、他のデジタルカメラと相互に送受信する通信部が設けられている。２台のデジタルカメラ間でデータ通信を行う場合には、２台のデジタルカメラの通信部を通信ケーブルで接続する必要があるため、手間がかかる。さらには、通信ケーブルを紛失した場合には、データ通信を行うことができない。
【０００３】
そこで、特許文献１では、画像が表示された表示部上を指で操作して、データを送信する空間的な方向を入力し、指向性を有する無線通信部を用いて、入力された方向にデータを送信している。
【特許文献１】特開２００４−２２８８０４号公報
【発明の開示】
【発明が解決しようとする課題】
【０００４】
特許文献１では、データを送信するためには、送信するデータを送信側の電子装置の表示部に表示させる操作が必要であり、手間がかかるという問題がある。特に、送信するデータとして複数のデータを選出する場合には、送信する複数のデータを１個ずつ全て表示部に表示させる必要があるため、手間がかかる。
【０００５】
本発明は、上記課題を解決するためになされたものであり、容易に送信するデータを選出することができる電子装置及びデータ送信方法を提供することを目的とする。
【課題を解決するための手段】
【０００６】
上記目的を達成するために、本発明の電子装置は、データを非接触で送信する電子装置において、装置本体の動きを検出する加速度センサと、前記加速度センサで検出された検出動きに基づいて、送信するデータを選出する選出手段と、前記選出手段で選出されたデータを送信させる制御手段と、を備えることを特徴とする。
【０００７】
また、前記選出手段は、複数のデータの中から送信するデータを選出する複数の選出方法と、複数の選出用動きとを関連付けて記憶した記憶手段と、前記複数の選出用動きの中から、前記検出動きと一致する選出用動きを検索する検索手段と、を備え、前記検索手段で検索された選出用動きに関連付けられた選出方法により、送信するデータを選出することが好ましい。
【０００８】
さらに、前記加速度センサで検出された検出動きを、前記選出用動きとして前記記憶手段に記憶させる記憶モードが設けられ、前記記憶モード時に、前記検出動きに関連付けて前記記憶手段に記憶させる選出方法を入力する入力手段を備えることが好ましい。
【０００９】
また、データを非接触で受信する受信部と、前記装置本体の姿勢を検出する姿勢検出手段と、前記姿勢検出手段で前記装置本体が所定の姿勢であることが検出されたことに応答して、データを送信する送信モードに切り換えるとともに、前記姿勢検出手段で前記装置本体が前記所定の姿勢とは上下方向に逆向きの姿勢であることが検出されたことに応答して、データを受信する受信モードに切り換えるモード切換手段と、を備えることが好ましい。
【００１０】
さらに、前記送信モードであるときに、前記受信モードである他の電子装置との距離が所定距離内であるか否かを判定する判定手段を備え、前記送信モードであるときに、前記制御手段は、前記判定手段で所定距離内であると判定されたことに応答して、データを送信させることが好ましい。
【００１１】
また、電波を送信する電波送信部と、電波を受信する電波受信部と、を備え、前記受信モードであるときに、前記制御手段は、前記電波送信部から到達距離が前記所定距離である所定の電波を送信させ、前記判定手段は、前記電波受信部で前記所定の電波を受信したときに、前記所定距離内であると判定することが好ましい。
【００１２】
さらに、本発明のデータ送信方法は、電子装置からデータを非接触で送信するデータ送信方法において、前記電子装置の動きを検出し、検出された検出動きに基づいて、送信するデータを選出し、選出されたデータを送信することを特徴とする。
【発明の効果】
【００１３】
本発明によれば、装置本体の動きに基づいて、送信するデータを選出するから、装置本体を動かすだけで、容易に送信するデータを選出することができる。
【発明を実施するための最良の形態】
【００１４】
［第１実施形態］
図１及び図２に示すように、本発明を実施したデジタルカメラ２は、カメラ本体３の前面に、複数の撮影レンズ４が組み込まれたレンズ鏡筒５、送信用アンテナ６、受信用アンテナ７等が設けられている。カメラ本体３の上面には、電源ボタン８、レリーズボタン９等が設けられている。レンズ鏡筒５は、デジタルカメラ２が電源オフ状態にある際に、カメラ本体３の内部に収納され、電源オンとともにカメラ本体３の前面から突出する。
【００１５】
レリーズボタン９は、２段押しの構造とされている。レリーズボタン９を軽く押圧（半押し）すると、フォーカシングなどの撮影準備動作が行われる。この状態でさらに押圧（全押し）すると、撮影動作が行われる。
【００１６】
カメラ本体３の背面には、撮影画像や各種設定条件が表示されるＬＣＤ１０、各種設定及び表示画像の切り換えを行うためのメニューキー１１、ＬＣＤ１０に表示する画像を拡大及び縮小ズームさせるズームボタン１２等が設けられている。
【００１７】
デジタルカメラ２は、撮影を行う撮影モードと、撮影した画像を再生表示する再生モードと、画像データを送信する送信モードと、画像データを受信する受信モードと、送信する画像データを選出する送信画像選出モードとが設けられている。メニューキー１１の操作により、撮影モードと再生モードとで切り換わる。カメラ本体３の側面に設けられた画像選出用ボタン１３を押すと、送信画像選出モードに切り換わる。詳しくは後述するように、送信する画像を選出するときには、画像選出用ボタン１３を押しながら行う。
【００１８】
図３は、デジタルカメラ２内部の電気的構成を示すブロック図であり、撮影レンズ４の背後には、撮影レンズ４を透過した被写体光が撮像されるＣＣＤ１４が配置されている。このＣＣＤ１４には、ＣＰＵ２０によって制御されるタイミングジェネレータ１９からタイミング信号（クロック信号）が入力される。ＣＣＤ１４から出力された信号は、相関二重サンプリング回路（ＣＤＳ）１５に入力され、ＣＣＤ１４の各セルの蓄積電荷量に正確に対応したＲ、Ｇ、Ｂの画像データとして出力される。ＣＤＳ１５から出力された画像データは、増幅器（ＡＭＰ）１６で増幅され、Ａ／Ｄ変換器１７でデジタルデータに変換される。
【００１９】
画像入力コントローラ１８は、データバス２１を介してＣＰＵ（制御手段）２０に接続されており、ＣＰＵ２０の命令によってＣＣＤ１４，ＣＤＳ１５，ＡＭＰ１６，Ａ／Ｄ変換器１７を制御する。また、Ａ／Ｄ変換器１７から出力された画像データをビデオメモリ２２、あるいはバッファメモリ２４に書き込む。
【００２０】
ビデオメモリ２２は、ＬＣＤ１０をビューファインダとして使用する際に、解像度の低い画像データが一時的に記憶される。ビデオメモリ２２に記憶された画像データは、データバス２１を介してＬＣＤドライバ２３に送られ、ＬＣＤ１０に表示される。バッファメモリ２４は、撮像された高解像度の画像データが一時的に記憶される。このバッファメモリ２４から読み出された画像データは、メモリコントローラ２５によって駆動制御されるデータリーダによりＲＡＭ２６に記憶される。
【００２１】
画像信号処理回路２７は、撮像された高解像度の画像データがバッファメモリ２４内に記憶されている間に、例えば階調変換、色変換、画像の超低周波濃度成分の階調を圧縮するハイパートーン処理、粒状を抑制しながらシャープネスを強調するハイパーシャープネス処理等の画像処理を施す。
【００２２】
加速度センサ２９は、バネに取り付けた重りが変位する量を測り、重りにかかる加速度を検出するものであり、この加速度の検出結果に基づいてカメラ本体３の動きを検出する。加速度センサ２９は、カメラ本体３の動きを検出すると、検出した動きに応じた検出信号（検出動きデータ）をＣＰＵ２０に送る。
【００２３】
図４に示すように、ＲＡＭ２６には、第１〜第１０画像データＤ１〜Ｄ１０が記憶されている。第１画像データＤ１にはタグＴ１が付加され、第２画像データＤ２にはタグＴ２が付加されている。同様にして、第３〜第１０画像データＤ３〜Ｄ１０には、タグＴ３〜Ｔ１０が付加されている。第１〜第７画像データＤ１〜Ｄ７は、連写撮影された画像であり、各タグＴ１〜Ｔ７には、連写撮影を示すデータが記録されている。
【００２４】
ＲＡＭ２６には、選出方法検索テーブル２８が記憶されている。選出方法検索テーブル２８には、動きを示す選出用動きデータと、この動きに関連付けられた選出方法を示す選出方法データとが、それぞれ２個ずつ記憶されている。動きが「上下方向」の場合には、選出方法は「連写画像のみ選出」となり、動きが「左右方向」の場合には、選出方法は「全ての画像を選出」となる。
【００２５】
送信する画像を選出するときには、画像選出用ボタン１３を押して、送信画像選出モードに切り換える。そして、画像選出用ボタン１３を押しながら、デジタルカメラ２を動かす。ＣＰＵ２０は、送信画像選出モードのときに、加速度センサ２９から検出動きデータが入力されたことに応答して、選出方法検索テーブル２８の選出用動きデータの中から、入力された検出動きデータと一致する選出用動きデータを検索する。なお、ＣＰＵ２０は、完全に一致する動きデータでなくても、同じ動き（方向）を示す動きデータを、一致する選出用動きデータとして検索する。本実施形態では、ＣＰＵ２０は、複数の選出用動きデータの中から、検出動きデータと一致する選出用動きデータを検索する検索手段としても機能する。
【００２６】
送信する画像として連写画像のみを選出する場合には、画像選出用ボタン１３を押しながら、デジタルカメラ２を上下方向に動かす。デジタルカメラ２を上下方向に動かすと、加速度センサ２９は、カメラ本体３の上下方向の動きを検出し、上下検出動きデータ（上下検出信号）をＣＰＵ２０に送る。ＣＰＵ２０は、入力された上下検出動きデータと一致する選出用動きデータを検索する。この場合には、一致する選出用動きデータとして「上下方向」が検索される。そして、ＣＰＵ２０は、検索された「上下方向」に関連付けられた選出方法である「連写画像のみ選出」に基づいて、ＲＡＭ２６に記憶された第１〜第１０画像データＤ１〜Ｄ１０の中から、タグＴに連写データが記録された連写画像データ（第１〜第７画像データＤ１〜Ｄ７）を選出する。
【００２７】
また、送信する画像として全ての画像を選出する場合には、画像選出用ボタン１３を押しながら、デジタルカメラ２を左右方向に動かす。デジタルカメラ２を左右方向に動かすと、加速度センサ２９は、カメラ本体３の左右方向の動きを検出し、左右検出動きデータ（左右検出信号）をＣＰＵ２０に送る。ＣＰＵ２０は、入力された左右検出動きデータと一致する選出用動きデータを検索する。この場合には、一致する選出用動きデータとして「左右方向」が検索される。そして、ＣＰＵ２０は、検索された「左右方向」に関連付けられた選出方法である「全ての画像を選出」に基づいて、ＲＡＭ２６に記憶された第１〜第１０画像データＤ１〜Ｄ１０を全て選出する。
【００２８】
画像選出用ボタン１３を押しながら、デジタルカメラ２を斜め方向に動かすと、加速度センサ２９は、カメラ本体３の斜め方向の動きを検出し、斜め検出動きデータ（斜め検出信号）をＣＰＵ２０に送る。ＣＰＵ２０は、入力された斜め検出動きデータと一致する選出用動きデータを検索する。この場合には、一致する選出用動きデータがない。一致する選出用動きデータがない場合には、ＣＰＵ２０は、送信画像選出モードに切り換わる前にＬＣＤ１０に表示されていた画像データＤを選出する。
【００２９】
図３に示すように、非接触型のデータ通信部３０は、送信用アンテナ６と、受信用アンテナ７と、通信制御回路３１とから構成される。通信制御回路３１は、送信用アンテナ６と受信用アンテナ７とに接続されている。通信制御回路３１は、ＣＰＵ２０からの指令を受けて、送信用アンテナ６から到達距離が短い微弱電波ＦＲ（例えば、到達距離が１０ｃｍとなる１３．５６ＭＨｚの電波）を送信させる。
【００３０】
姿勢検出装置３２は、円弧状の筒、この筒内に封入された水銀、及び、筒内の中央部及び両端部の３箇所に配置された電極を備えている。そして、筒内の水銀が３箇所の電極のうちのいずれを短絡させたかを検出することにより、カメラ本体３の姿勢を検出し、検出した姿勢に応じた信号をＣＰＵ２０に送る。
【００３１】
姿勢検出装置３２は、図５に示ように、カメラ本体３の各アンテナ６，７が設けられた面（以下、通信面と称する）３ａが上向き（逆向きの姿勢）のときには、上向き姿勢状態を検出し、ＣＰＵ２０に上向き姿勢信号を送る。
【００３２】
姿勢検出装置３２は、通信面３ａが下向き（所定の姿勢）のときには、下向き姿勢状態を検出し、ＣＰＵ２０に下向き姿勢信号を送る。
【００３３】
ＣＰＵ２０は、上向き姿勢信号が入力されたことに応答して、受信モードに切り換えるとともに、通信制御回路３１により、送信用アンテナ６から微弱電波ＦＲを送信させるように制御する。
【００３４】
ＣＰＵ２０は、下向き姿勢信号が入力されたことに応答して、送信モードに切り換える。送信モードのときには、送信用アンテナ６から微弱電波ＦＲを送信させない。以下では、送信モードのデジタルカメラ２Ａ、受信モードのデジタルカメラ２Ｂと称する。本実施形態では、ＣＰＵ２０は、モード切換手段としても機能する。
【００３５】
なお、撮影モードで撮影を行っているとき（撮影準備動作中及び撮影動作中）には、ＣＰＵ２０は、上向き姿勢信号及び下向き姿勢信号が入力されても、モード切り換えを行わない。これにより、撮影中にモードが切り換わることを防止することができる。また、加速度センサ２９から検出動きデータが入力されているときは、デジタルカメラ２を手に持ち、被写体を探しているとき等であり、データを送受信させることはない。このため、ＣＰＵ２０は、加速度センサ２９から検出動きデータが入力されているときには、データ通信部３０への給電を行わない。これにより、消費電力を抑制することができる。
【００３６】
図５に示すように、送信モードのデジタルカメラ２Ａが、受信モードのデジタルカメラ２Ｂから送信されている微弱電波ＦＲの到達距離（所定距離）内に入ると、送信モードのデジタルカメラ２Ａの受信用アンテナ７は微弱電波ＦＲを受信する。微弱電波ＦＲを受信すると、通信制御回路３１はＣＰＵ２０に信号を送る。
【００３７】
ＣＰＵ２０は、通信制御回路３１から信号が入力されたことに応答して、送信画像選出モードで選出された画像データを乗せた１３．５６ＭＨｚの微弱電波（以下、画像データ付微弱電波ＤＦＲと称する）を、送信用アンテナ６から送信するように制御する。本実施形態では、送信モードであるときに、他のデジタルカメラ２との距離が所定距離（１０ｃｍ）内であるか否かを判定する判定手段は、送信用アンテナ６、受信用アンテナ７、ＣＰＵ２０、通信制御回路３１から構成される。なお、ＣＰＵ２０は、通信制御回路３１からの信号入力が停止すると、画像データ付微弱電波ＤＦＲの送信を停止する。
【００３８】
受信モードのデジタルカメラ２Ｂでは、送信モードのデジタルカメラ２Ａから送信された画像データ付微弱電波ＤＦＲを受信用アンテナ７で受信すると、ＣＰＵ２０が、受信した画像データをＲＡＭ２６に記憶する。
【００３９】
送信モードのデジタルカメラ２Ａが動かされると、加速度センサ２９からＣＰＵ２０に検出動きデータが入力される。送信モードで画像データを送信中に、検出動きデータが入力されたことに応答して、ＣＰＵ２０は、画像データ付微弱電波ＤＦＲの送信を停止し、送信モードから直前のモード（撮影モードまたは再生モード）に切り換えるように制御する。
【００４０】
受信モードのデジタルカメラ２Ｂが動かされると、加速度センサ２９からＣＰＵ２０に検出動きデータが入力される。受信モードで画像データを受信中に、検出動きデータが入力されたことに応答して、ＣＰＵ２０は、画像データ付微弱電波ＤＦＲの受信を停止し、受信モードから直前のモード（撮影モードまたは再生モード）に切り換えるように制御する。
【００４１】
図６に示すように、送信モードのデジタルカメラ２Ａでは、ＣＰＵ２０は、ＬＣＤ１０に画像データの送信状況を示す送信状況画像３５を表示する。この送信状況画像３５は砂時計の画像であり、送信が完了していないデータ容量を上部に示し、送信が完了したデータ容量を下部に示している。これにより、どの程度データ送信が完了したかを容易に把握することができる。なお、受信モードのデジタルカメラ２Ｂでも、ＬＣＤ１０に画像データの受信状況を示す受信状況画像を表示するようにしてもよい。
【００４２】
次に、デジタルカメラ２の作用について、図７及び図８のフローチャートを用いて説明を行う。ここでは、送信モードのデジタルカメラ２Ａから受信モードのデジタルカメラ２Ｂに画像データを送信するときの手順について説明を行う。
【００４３】
画像データを送信させたい送信側のデジタルカメラ２の画像選出用ボタン１３を押して、送信画像選出モードに切り換える（ステップ（以下，Ｓ）１でＹ）。そして、画像選出用ボタン１３を押しながら、送信側のデジタルカメラ２を動かす（Ｓ２）。加速度センサ２９は、カメラ本体３の動きを検出すると、検出した動きに応じた検出動きデータをＣＰＵ２０に送る（Ｓ３）。ＣＰＵ２０は、加速度センサ２９から検出動きデータが入力されたことに応答して、選出方法検索テーブル２８の選出用動きデータの中から、入力された検出動きデータと一致する選出用動きデータを検索する（Ｓ４）。
【００４４】
一致する選出用動きデータが有る場合（Ｓ５でＹ）には、ＣＰＵ２０は、一致する選出用動きデータに関連付けられた選出方法に基づいて、ＲＡＭ２６に記憶された第１〜第１０画像データＤ１〜Ｄ１０の中から、送信する画像データを選出する（Ｓ６）。
【００４５】
一致する選出用動きデータとして「上下方向」が検索されると、ＣＰＵ２０は、検索された「上下方向」に関連付けられた選出方法である「連写画像のみ選出」に基づいて、ＲＡＭ２６に記憶された第１〜第１０画像データＤ１〜Ｄ１０の中から、タグＴに連写データが記録された連写画像データ（第１〜第７画像データＤ１〜Ｄ７）を選出する。また、一致する選出用動きデータとして「左右方向」が検索されると、ＣＰＵ２０は、検索された「左右方向」に関連付けられた選出方法である「全ての画像を選出」に基づいて、ＲＡＭ２６に記憶された第１〜第１０画像データＤ１〜Ｄ１０を全て選出する。
【００４６】
一方、一致する選出用動きデータがない場合（Ｓ５でＮ）には、送信画像選出モードに切り換わる前にＬＣＤ１０に表示されていた画像データＤを選出する（Ｓ７）。
【００４７】
画像データを受信させたい受信側のデジタルカメラ２を、上向き姿勢にすると（ステップ（Ｓ８でＹ）、姿勢検出装置３２からＣＰＵ２０に上向き姿勢信号が送られる。撮影中ではない場合（Ｓ９でＮ）には、ＣＰＵ２０は、受信モードに切り換える（Ｓ１０）とともに、送信用アンテナ６から微弱電波ＦＲを送信させる（Ｓ１１）。
【００４８】
送信側のデジタルカメラ２を、下向き姿勢にすると（Ｓ１２でＹ）、姿勢検出装置３２からＣＰＵ２０に下向き姿勢信号が送られる。撮影中ではない場合（Ｓ１３でＮ）には、ＣＰＵ２０は、送信モードに切り換える（Ｓ１４）。送信モードのデジタルカメラ２Ａは、受信モードのデジタルカメラ２Ｂから送信されている微弱電波ＦＲの到達距離内に入ると（Ｓ１５でＹ）、受信用アンテナ７で微弱電波ＦＲを受信する（Ｓ１６）。
【００４９】
送信モードのデジタルカメラ２Ａは、微弱電波ＦＲを受信すると、送信画像選出モードで選出された画像データを乗せた画像データ付微弱電波ＤＦＲを、送信用アンテナ６から送信する（Ｓ１７）。受信モードのデジタルカメラ２Ｂは、受信用アンテナ７で画像データ付微弱電波ＤＦＲを受信し（Ｓ１８）、画像データをＲＡＭ２６に記憶する（Ｓ１９）。
【００５０】
このように、デジタルカメラ２を動かすだけで、送信する画像データを選出することができるから、複数の画像データを送信する場合にも、画像データを選択する手間が省け、操作性を向上することができる。
【００５１】
また、デジタルカメラ２を、通信面３ａが上向きとなる上向き姿勢、及び、通信面３ａが下向きとなる下向き姿勢にするだけで、容易に送信モード及び受信モードに切り換えることができる。これにより、モードを切り換える手間が省け、操作性を向上することができる。
【００５２】
さらに、送信モードのデジタルカメラ２Ａと受信モードのデジタルカメラ２Ｂとが、微弱電波ＦＲの到達距離（１０ｃｍ）内に位置するときのみ、画像データの送信を行うから、例えば、１０ｍ離れていても画像データの送信を行う場合に発生する、画像データが他人に盗まれることを防止することができる。
【００５３】
［第２実施形態］
図９及び図１０に示す第２実施形態は、デジタルカメラ４０に、記憶モードが設けられている。なお、第１実施形態のものと同様の構成部材には同一の符号を付し、その詳細な説明を省略する。
【００５４】
記憶モードは、加速度センサ２９で検出された検出動きデータを、選出用動きデータとして選出方法検索テーブル２８に記憶させるものである。メニューキー１１の操作により、記憶モードに切り換わる。
【００５５】
記憶モードで、加速度センサ２９により所定時間（例えば、２秒）動きが検出されると、ＣＰＵ２０は、ＬＣＤ１０に選出方法選択画面４１を表示する。
【００５６】
選出方法選択画面４１には、「画像選出方法を選択して下さい」という選択コメント画像４２が表示され、この選択コメント画像４２の下方には、「連写画像以外の画像を選出」という第１選択肢画像４３と、「古い画像から順に５個の画像を選出」という第２選択肢画像４４とが表示され、第２選択肢画像４４の下方には、決定ボタン部４５が表示される。なお、選出方法選択画面４１に表示する選択肢画像の数は適宜変更可能であり、選択肢画像としては、「新しい画像から順に３個の画像を選出」や「今日撮影した画像を選出」等が挙げられる。
【００５７】
メニューキー１１を操作して上記した第１，第２選択肢画像４３，４４のどちらかを選択する。そして、メニューキー１１を操作して決定ボタン部４５を操作すると、ＣＰＵ２０は、加速度センサ２９で検出された検出動きデータと、決定された選出方法データ（「連写画像以外の画像を選出」または「古い画像から順に５個の画像を選出」）とを、関連付けて選出方法検索テーブル２８に記憶する。本実施形態では、メニューキー１１は、記憶モード時に、検出動きデータに関連付けてＲＡＭ２６に記憶させる選出方法を入力する入力手段としても機能する。
【００５８】
次に、デジタルカメラ４０の作用について、図１０のフローチャートを用いて説明を行う。記憶モードに切り換えた（Ｓ１０１でＹ）後、選出方法検索テーブル２８に選出用動きデータとして記憶させたい動きとなるようにデジタルカメラ２を動かす（Ｓ１０２）。所定時間（例えば、２秒）加速度センサ２９で動きが検出されると（Ｓ１０３でＹ）、ＣＰＵ２０は、ＬＣＤ１０に選出方法選択画像４１を表示する（Ｓ１０４）。メニューキー１１を操作して選出方法を選択決定すると（Ｓ１０５でＹ）、ＣＰＵ２０は、加速度センサ２９で検出された検出動きデータと、選択決定された選出方法とを関連付けて選出方法検索テーブル２８に記憶する（Ｓ１０６）。
【００５９】
このように、実際にデジタルカメラ２を動かしたときの検出動きを、選出用動きとして選出方法検索テーブル２８に記憶する記憶モードを設けたから、所望する動きを、選出用動きとすることができる。
【００６０】
なお、予め選出方法検索テーブル２８に記憶する選出用動きデータ及び選出方法データの数及び種類は適宜変更可能であり、選出用動きとしては、「円弧状の動き」や「斜め方向の動き」等が挙げられ、選出方法としては、「新しい画像から順に３個の画像を選出」や「今日撮影した画像を選出」等が挙げられる。また、選出用動きデータに代えて、速度データを選出方法検索テーブル２８に記憶してもよく、この場合には、動き（方向）に関係なく、動き速度によって異なる選出方法を関連付けることにより、加速度センサ２９で所定速度以上の速度を検出した場合と、所定速度未満の速度を検出した場合とでは、異なる選出方法により、送信する画像データを選出する。さらに、選出用動きデータと速度データとを両方、選出方法検索テーブル２８に記憶してもよい。
【００６１】
また、上記実施形態では、微弱電波ＦＲを用いて画像データを送信したが、微弱電波ＦＲよりも到達距離が長く、通信速度が速い強電波（例えば、５ＧＨｚ）を用いて画像データを送信してもよい。この場合には、微弱電波ＦＲを用いて画像データを送信するものに比べて、画像データの送受信にかかる時間を短縮することができる。
【００６２】
さらに、上記実施形態では、各アンテナ６，７を、デジタルカメラの前面に設けたが、上下面、左右側面、後面に設けてもよい。
【００６３】
また、送信モード及び受信モードへのモード切り換えの契機となる姿勢は、下向き姿勢及び上向き姿勢に限らず、適宜変更可能である。
【００６４】
さらに、スイッチを設け、このスイッチを押しているときのみ、送信モード及び受信モードへの切り換えが可能になるようにしてもよく、この場合には、加速度センサ２９でカメラ本体３の動きを検出しないようにすることが好ましい。
【００６５】
また、撮影モードで撮影を行っているときには、データ通信部３０に給電しないようにしてもよい。これにより、消費電力を抑制することができる。
【００６６】
さらに、上記実施形態では、デジタルカメラ２，４０に本発明を実施したが、携帯電話、ＰＤＡ、楽曲再生装置等に実施してもよく、データも画像データに限定されることなく、楽曲データ、プログラムデータ等を送受信するようにしてもよい。なお、携帯電話に実施した場合には、通話中にはモード切り換えを行わないようにすることが好ましい。
【図面の簡単な説明】
【００６７】
【図１】本発明を実施したデジタルカメラを示す正面斜視図である。
【図２】デジタルカメラを示す背面図である。
【図３】デジタルカメラ内部の電気的構成を示すブロック図である。
【図４】ＲＡＭ内のデータを示す説明図である。
【図５】下向き姿勢で送信モードのデジタルカメラと上向き姿勢で受信モードのデジタルカメラとを示す正面図である。
【図６】画像データを送信しているときの送信モードのデジタルカメラを示す背面図である。
【図７】送信する画像データを選出する処理の流れを示すフローチャートである。
【図８】画像データを送信する処理の流れを示すフローチャートである。
【図９】記憶モードを設けた実施形態のデジタルカメラを示す背面図である。
【図１０】図９に示す実施形態の検出動きと選出方法とを関連付けて記憶する処理の流れを示すフローチャートである。
【符号の説明】
【００６８】
２，４０  デジタルカメラ（電子装置）
３  カメラ本体（装置本体）
６  送信用アンテナ
７  受信用アンテナ
１１  メニューキー
２０  ＣＰＵ（制御手段）
２６  ＲＡＭ（記憶手段）
２９  加速度センサ
３１  通信制御回路
３２  姿勢検出装置（姿勢検出手段）
【図１】
2009253512.tif 000003
【図２】
2009253512.tif 000004
【図３】
2009253512.tif 000005
【図４】
2009253512.tif 000006
【図５】
2009253512.tif 000007
【図６】
2009253512.tif 000008
【図７】
2009253512.tif 000009
【図８】
2009253512.tif 000010
【図９】
2009253512.tif 000011
【図１０】
2009253512.tif 000012